(57)【要約】【課題】前腕を首または肩から吊下げて支持すると共に、物品を保持可能な保持手段を具備し、物品を容易に携帯することができ、使い勝手の良い腕吊り具を提供する。【解決手段】腕吊り具１は、前腕を掛止するための前腕掛止手段２と、前腕掛止手段２を首または肩から吊下げるための吊下げ手段３と、吊下げ手段３により所定位置に吊下げ支持され、物品を保持可能な保持手段４と、前腕掛止手段２に支持されると共に、前腕掛止手段２と前腕との間に配置され、吊下げ手段３によって吊下げられた前腕の少なくとも下側を覆う前腕被覆手段５とを備え、保持手段４は、前腕被覆手段５及び前腕掛止手段２の少なくとも一方に支持されることで、吊下げ手段３により吊下げ支持されている。【選択図】      図１
2006218175.tif 000002
【特許請求の範囲】
【請求項１】
前腕を掛止するための前腕掛止手段と、
該前腕掛止手段を首または肩から吊下げるための吊下げ手段と、
該吊下げ手段により所定位置に吊下げ支持され、物品を保持可能な保持手段と
を具備することを特徴とする腕吊り具。
【請求項２】
前記前腕掛止手段に支持されると共に、該前腕掛止手段と前腕との間に配置され、前記吊下げ手段によって吊下げられた前腕の少なくとも下側を覆う前腕被覆手段を更に具備し、
前記保持手段は、
前記前腕被覆手段及び前記前腕掛止手段の少なくとも一方に支持されることで、前記吊下げ手段により吊下げ支持されていることを特徴とする請求項１に記載の腕吊り具。
【請求項３】
前記保持手段は、開閉可能に形成された開口部を有し、
該開口部を閉止状態に保持する閉止保持手段を更に具備することを特徴とする請求項１又は請求項２に記載の腕吊り具。
【請求項４】
前記吊下げ手段により吊下げられた前記前腕掛止手段の吊下げ位置を調整するための位置調整手段を更に具備することを特徴とする請求項１乃至請求項３のいずれか一つに記載の腕吊り具。
【請求項５】
前記前腕掛止手段は、互いに離反し前腕を挿通可能な一対の環状体からなり、
一対の該環状体に、長尺状に形成された前記吊下げ手段の両端部が夫々連結されていると共に、前記保持手段及び前記前腕被覆手段の少なくとも一つが一対の前記環状体に取付け支持されていることを特徴とする請求項１乃至請求項４のいずれか一つに記載の腕吊り具。
【発明の詳細な説明】
【技術分野】
【０００１】
本発明は、腕吊り具に関するものであり、特に、腕を骨折した場合等に、首または肩から前腕を吊り下げ、肘を曲げた状態で前腕を支持する腕吊り具に関するものである。
【背景技術】
【０００２】
従来から、腕や手首を骨折して前腕をギプスで固定した場合等、肘を曲げた状態で前腕を保持する際には、三角巾が使用されている。これは、大判の三角形の布を用い、三角形の二頂点を結び合わせて環状にし、この環に腕を通し首に掛けることにより、前腕を吊り下げるものである。
【０００３】
また、腕袋に腕を通し、所定間隔で腕袋に取付けた吊りベルトを首から背に掛け回すことにより、腕を支持する腕吊り具（例えば、特許文献１）等も提案されている。
【０００４】
【特許文献１】実開平５−３９５２０号公報
【発明の開示】
【発明が解決しようとする課題】
【０００５】
しかしながら、腕吊り具の使用者が自由に使える方の手で物を持ってしまうと、両手がふさがってしまうこととなり不便を感じることが多かった。特に、転倒した場合等に身体を支えることができず、危険でもあった。そのため、片手を空けるために、ショルダーバッグやリュックサックを利用して物品を携帯することとしても、バッグの蓋やファスナーを開け物を出し入れする動作を、片手で行うのは困難であるという問題があった。また、ショルダーバッグでは、物を出し入れする動作中に肩ひもが肩から外れてバッグごと落下してしまうこともあり、使い勝手が悪いという問題があった。
【０００６】
加えて、衣類のポケットを利用して物品を携帯する場合、ポケットが身体の側面や吊下げた腕より下部にあると、収納された物品がよく見えないために必要な物が探しにくく、また、ズボンのポケットを使用した場合には、物を出し入れする際に身体をねじったり傾ける等の動作が必要となり、腕吊り具の使用者によってはかかる動作が困難であるという問題もあった。
【０００７】
また、上記の腕吊り具では、腕を支える袋状の部材が、袋状部材の上辺に取付けられた係止具を介してベルト状の部材によって吊下げられていたため、腕吊り具に腕を吊下げたとき、係止具の取付け部分に前腕の荷重が局部的に集中し、その部分が破綻することにより、腕吊り具が破損する恐れがあった。
【０００８】
更に、三角巾では、腕を載せている部分の布の幅が使用中に変化し易いために、腕の支持が不安定であるという問題があった。加えて、支持される腕の位置の調整は、いったん三角巾を首からはずし、頂点を結び直して環の大きさを変えなくてはならないため、位置の調整がしにくいという問題があった。
【０００９】
そこで、本発明は、上記実情に鑑み、前腕を首または肩から吊下げて支持すると共に、物品を保持可能な保持手段を具備し、物品を容易に携帯することができ、使い勝手の良い腕吊り具を提供することを課題とするものである。
【課題を解決するための手段】
【００１０】
上記の課題を解決するため、本発明にかかる腕吊り具は、「前腕を掛止するための前腕掛止手段と、該前腕掛止手段を首または肩から吊下げるための吊下げ手段と、該吊下げ手段により所定位置に吊下げ支持され、物品を保持可能な保持手段と」を主に具備して構成されている。
【００１１】
ここで、前腕掛止手段は、骨折等により肘を曲げた状態で保持する必要がある前腕を掛止するものであり、前腕を挿通できる環状のもの、前腕を引掛ける鉤状のもの、前腕を挟み込んで支持するもの、等が例示される。また、これらの手段は、一つであっても、複数であっても構わないが、複数の前腕掛止手段を用いた方が前腕の掛止が安定するため、より好適である。
【００１２】
また、吊下げ手段は、上述の前腕掛止手段を首または肩から吊下げるために、単独で、または前腕掛止手段との連結により、首等を通すための環状を形成するものである。例えば、長尺状の部材から成り、その両端部が夫々前腕掛止手段の相違する二点と連結し全体として環状を形成するもの、長尺状の部材から成る吊下げ手段の両端部が前腕掛止手段と一点で連結し、吊下げ手段のみで環状を形成するもの、吊下げ手段と前腕掛止手段が一体的に構成されて環状を形成するもの、環状に形成された部材とこれを前腕掛止手段に連結する部材とから吊下げ手段が構成されるもの、等が例示される。
【００１３】
更に、保持手段は、物品を収納、係止、あるいは支持等することが可能な構成とされることにより、物品を保持可能な手段である。例えば、物品を収納可能な手段として、開口部を有する袋状に形成されたものが挙げられる。これは、様々な大きさや形状に区分されたものであってもよい。また、物品を係止可能な手段としては、棒状の物品を挿通して保持する環状のもの、物品が有する貫通孔を引掛けて保持する爪状のもの、カード状の薄い物品を挿し込んで保持する切れ込み状のもの、等が例示される。そして、保持手段は、吊下げ手段に直接取付けられていても、吊下げ手段によって吊下げ支持される前腕掛止手段に取付けられていてもよい。また、複数の保持手段を設けてもよい。
【００１４】
従って、本発明の腕吊り具によれば、前腕掛止手段が前腕を掛止し、その前腕係止手段が吊下げ手段により首または肩から吊下げられ、その結果、前腕が首または肩から吊下げられ所定の位置で保持される。加えて、保持手段を具備していることにより、腕吊り具に物品を保持することが可能となる。これにより、吊下げていない方の腕で保持しなくても物品を携帯できるため、片方の手を空けておくことができる。そのため、転倒した場合等にも、空いている手で身体を支えることができる。加えて、衣類のポケットやバッグ等を別途使用することなく、保持手段によって物品を保持、携帯することが可能となる。
【００１５】
また、本発明にかかる腕吊り具は、上記構成に加え、「前記前腕掛止手段に支持されると共に、該前腕掛止手段と前腕との間に配置され、前記吊下げ手段によって吊下げられた前腕の少なくとも下側を覆う前腕被覆手段を更に具備し、前記保持手段は、前記前腕被覆手段及び前記前腕掛止手段の少なくとも一方に支持されることで、前記吊下げ手段により吊下げ支持されている」ものとすることもできる。
【００１６】
ここで、前腕被覆手段は、前腕の少なくとも下側を覆うものであればよく、前腕を覆う長さ及び幅は、特に限定されないが、前腕に当接する面積がより広い方が前腕の荷重が分散するため望ましい。また、肘近傍から手首近傍までを支持できる長さを有すれば、ギプスや添え木により固定されていない場合でも、前腕を肘を曲げた状態で保持できるため、より好適である。例えば、前腕のほとんどを覆い上方のみが開放するもの、筒状や袋状に形成されることにより前腕を全周に亘って覆う形態等が好適である。ただし、水平方向の一端が閉じた袋状の場合は、吊下げる腕が左右の何れであるかにより、腕吊り具の左右を逆にして使用することが必要となる。これに対し、筒状等のように両端部が開放している場合は、左右どちらの腕を吊る場合にも同じ方向で使用可能であり、保持手段等の取付け位置が変化しない利点がある。
【００１７】
更に、前腕被覆手段は、前腕掛止手段と前腕との間に配置されることにより、前腕掛止手段に支持される。仮に、前腕被覆手段が前腕掛止手段の外側に配置されている場合には、前腕の荷重により前腕被覆手段が前腕掛止手段から剥離する恐れがある。これに対し、前腕掛止手段が前腕被覆手段の外側に配置されることにより、前腕の荷重が前腕掛止手段によって確実に支持されることとなる。
【００１８】
加えて、保持手段は、前腕被覆手段及び前記前腕掛止手段の少なくとも一方に支持されるため、前腕被覆手段に形成されるものであっても、前腕掛止手段に形成されるものであっても、その両方に形成されるものであってもよい。ここで、保持手段は、前腕被覆手段及び前腕掛止手段のいずれに形成される場合であっても、吊下げた腕の近傍に形成されることとなる。また、使用者の前方（進行方向）、側面方向、前腕と身体の間等の種々の位置に取付けることもできる。さらに、前腕被覆手段に形成する場合においては、外側表面に形成しても、前腕に当接する内側表面に形成しても構わない。
【００１９】
従って、本発明の腕吊り具によれば、前腕被覆手段によって前腕の少なくとも下側が覆われることにより、前腕が下から支持されて前腕掛止手段による前腕の掛止状態を安定させることができ、かつ、前腕を外部の衝撃等から保護することができる。
【００２０】
また、前腕被覆手段が前腕掛止手段と前腕との間に配置されるため、前腕被覆手段が前腕掛止手段によって外側から支持されることとなり、前腕の荷重が前腕係止手段によって支持される。これにより、前腕の荷重により前腕被覆手段が前腕掛止手段から剥離する恐れを防止し、前腕の荷重を前腕掛止手段によって確実に支持することが可能となる。
【００２１】
更に、保持手段は吊下げた腕の近傍にあるため、保持されている物品が使用者から見え易く、必要な物品が探しやすい。また、身体をねじったり傾けたりすることなく、自然な動作で物品を出し入れすることが可能となる。
【００２２】
なお、前腕被覆手段を形成する素材は特に限定されない。例えば、合成樹脂を樋状に成型したものも適用可能であるが、布やビニールシート等の折り畳める素材であれば、使用しない際の収納や携帯に便利である。そして、布を使用する場合は、布を重ねて積層構造とすることで強度が増し、更に、その層間に綿や衝撃吸収材等をはさみ込む構造とすることにより、外部の衝撃等から前腕を保護する効果が増し、より好適である。
【００２３】
更に、本発明にかかる腕吊り具は、上記構成に加え、「前記保持手段は、開閉可能に形成された開口部を有し、該開口部を閉止状態に保持する閉止保持手段を更に具備する」構成とすることもできる。
【００２４】
ここで、保持手段は、開口部を有し、その開口部から物品を収容して保持できるものであれば、形状や大きさ等は特に限定されない。そして、開口部が開口する向きも特に限定されない。
【００２５】
また、閉止保持手段は、開口部を閉止し、その閉止状態を保持することが可能な手段が使用される。例えば、開口部の対向する一対の辺を合わせ留めて閉止する面ファスナー、ジッパー、ホック、ボタン、閉じ紐や、開口部を覆う蓋状のものが挙げられる。なお、片手で扱いやすいものであることが望ましい。
【００２６】
従って、本発明の腕吊り具によれば、閉止保持手段を具備することにより、物品を出し入れする際に保持手段の開口部を開け、それ以外のときは開口部を閉止し、この閉止状態を保持することが可能となる。これにより、本発明の腕吊り具の使用者の移動や姿勢の変化により、保持手段に保持された物品が落下することなく、物品の保持が継続される。
【００２７】
また、本発明にかかる腕吊り具は、上記構成に加え、「前記吊下げ手段により吊下げられた前記前腕掛止手段の吊下げ位置を調整するための位置調整手段を更に具備する」構成とすることもできる。
【００２８】
ここで、位置調整手段は、吊下げ手段の全長のうち、前腕掛止手段の吊下げのために有効に使用される長さを変化させるものである。例えば、吊下げ手段の端部を所定長さで折り返して係止するための、面ファスナー、ボタン、二個のリング状金具を重ねたもの、ベルト状の吊下げ手段に複数の孔を開設し、その孔の何れかにピンを挿入するバックル、挿通したベルト状の吊下げ手段を摩擦力により係止するバックル、等の公知の手段が使用可能である。この位置調整手段は、吊下げ手段の途中に形成されるものであっても、吊下げ手段と前腕掛止手段との連結部分に形成されるものであってもよい。
【００２９】
従って、本発明の腕吊り具によれば、位置調整手段を具備することにより、吊下げ手段の全長のうち、前腕掛止手段の吊下げのために有効に使用される長さを変化させ、首や肩に掛ける環の大きさを変えることができる。これにより、腕吊り具の使用者の体格に応じて、吊下げた前腕の位置を適切なものとし、これを保持することができる。また、腕吊り具を首に掛けることも、肩に掛け回して襷がけすることも可能となる。
【００３０】
更に、本発明にかかる腕吊り具は、上記構成に加え、「前記前腕掛止手段は、互いに離反し前腕を挿通可能な一対の環状体からなり、一対の該環状体に、長尺状に形成された前記吊下げ手段の両端部が夫々連結されていると共に、前記保持手段及び前記前腕被覆手段の少なくとも一つが一対の前記環状体に取付け支持されている」ものとすることもできる。
【００３１】
ここで、前腕掛止手段は、ギプスによって固定された前腕を挿通するために充分な径を有する一対の環状体により構成され、これらの環状体は互いに離反している。すなわち、これらの環状体に前腕を挿通し、二箇所で前腕を吊下げ支持することができる。例えば、一方の環状体で肘の近傍を、他方の環状体で手首近傍を支持することが可能となる。また、環状体は、途中で環を分割し展開可能とした構成のものであってもよい。すなわち、既に環状に形成された前腕掛止手段に前腕を挿通する場合に限定されず、環状体を途中から分割し展開した状態で前腕をその上に載せ、その後に分割位置を連結させて環状を形成するものも適用可能である。
【００３２】
また、吊下げ手段は、ベルト状（帯状）、ロープ状、紐状等の長尺状の部材から形成される。ここで、長尺状に形成される長さは、環状体に前腕を挿通した状態で、吊下げ手段を首または肩に掛けることのできる長さに、更に余裕を持たせた長さに設定される。
【００３３】
更に、上記の一対の環状体には、保持手段及び前腕被覆手段の少なくとも一つが取付け支持されている。すなわち、前腕被覆手段を具備せず保持手段のみが一対の環状体を連結するものであっても、前腕被覆手段及び保持手段が共に一対の環状体に取付けられるものであっても、あるいは、一対の環状体を連結する前腕被覆手段に保持手段が取付けられるものであってもよい。これにより、保持手段及び前腕被覆手段の少なくとも一つによって、一対の環状体が離反した状態で一体的に連結される。また、いずれの場合も、保持手段は前腕の側面に位置することとなる。
【００３４】
従って、本発明の腕吊り具によれば、前腕掛止手段を一対の環状体としているので、前腕がこれに挿通された状態で掛止され、引掛けや挟み込み等による掛止と比較して掛止状態が安定する。さらに、環状体によって前腕被覆手段が外側から環状に取り囲んで支持されるため、前腕の荷重を前腕掛止手段によって確実に支持することができる。また、一対の環状体が保持手段及び前腕被覆手段の少なくとも一つによって一体的に連結されているため、環状体に前腕を挿通する際に、保持手段あるいは前腕被覆手段に前腕を添わせて挿入することができ、離反する環状体に前腕を挿通する動作が容易となる。
【００３５】
加えて、保持手段が前腕の側面に位置することにより、使用者が前腕を見下ろしたときに顔面の真下に保持手段が位置することとなり、保持される物品がより見易く、物品の出し入れのために身体をねじる等の動作が全く必要ないため、より使い勝手のよいものとなる。
【００３６】
なお、環状体や吊下げ手段を形成する素材は、前腕の荷重に対して充分な強度を有するものであれば特に限定されない。例えば、合成繊維や天然繊維製のベルトやロープ、皮製ベルトや革紐、布を長尺状に縫製したもの等が使用可能であるが、合成樹脂や金属等のように形が変形しない素材よりは、首や肩、あるいは前腕の周りに添接する布や合成繊維等の素材の方が、身体や前腕の動きに追随して前腕の掛止や吊下げが安定するため、より好適である。
【発明の効果】
【００３７】
以上のように、本発明の腕吊り具によれば、前腕を首または肩から吊下げて支持すると共に、物品を保持可能な保持手段を具備し、物品を容易に携帯することができ、使い勝手の良い腕吊り具を提供することができる。
【発明を実施するための最良の形態】
【００３８】
以下、本発明の一実施形態である腕吊り具１について、図１及び図２に基づいて説明する。ここで、図１は本実施形態の腕吊り具の概略構成を示す斜視図であり、図２は図１の腕吊り具の使用状態を示す説明図である。
【００３９】
本実施形態の腕吊り具１は、図１に示されるように、前腕を掛止するための前腕掛止手段２と、前腕掛止手段２を首または肩から吊下げるための長尺状に形成された吊下げ手段３と、吊下げ手段３により所定位置に吊下げ支持され、開閉可能に形成された開口部１０を有し物品を保持可能な保持手段４とを主に具備している。
【００４０】
また、腕吊り具１は、吊下げ手段３により吊下げ支持される前腕被覆手段５と、保持手段４の開口部１０の閉止状態を保持する閉止保持手段６と、前腕掛止手段２の吊下げ位置を調整するための位置調整手段７とを更に具備している。
【００４１】
更に詳細に説明すると、前腕掛止手段２は、互いに離反し前腕を挿通可能な一対の環状体２ａ，２ｂによって構成されている。これらの環状体２ａ，２ｂは、その径がギプスを装着した前腕を充分に挿通可能な径とされている。また、環状体２ａは吊下げ手段３の一方の端部と、環状体２ｂは吊下げ手段３の他方の端部と夫々連結されている。
【００４２】
なお、本実施形態では、環状体２ａ，２ｂは吊下げ手段３と同素材の合成繊維製ベルトを使用して形成され、一方の環状体２ａは、吊下げ手段３の端部を所定長さに折り返し、その先端を元のベルトに位置Ａにおいて固定することにより、吊下げ手段３と一体的に構成されている。このような構成とすることで、腕吊り具の製作工程を減らし、コストを抑えることができる。ここで、吊下げ手段３の先端の固定は、糸を用いた縫着、加熱による融着、止め具を用いた止着や接着剤を用いた接着等によって行うことが可能である。
【００４３】
また、前腕被覆手段５は、展開した状態が矩形状とされており、その対向する二対の辺のうちの一対の辺の縁が夫々環状体２ａ，２ｂの内側に取付け支持されている。これにより、夫々の環状体２ａ，２ｂは間に前腕被覆手段５を介在して離反することとなる。ここで、前腕被覆手段５の、環状体２ａ，２ｂに取付けられている方の一対の辺の長さを変えることで、前腕被覆手段５により前腕が覆われる高さ方向の長さを変えることができでき、他方の一対の辺の長さを変えることで、前腕が下側から支持される長さを変えることができる。
【００４４】
保持手段４は、前腕被覆手段５の一部と矩形状の張付材４ａとで構成されており、開口部１０を上方に形成するように張付材４ａの三辺が前腕被覆手段５の表面に取付けられている。このとき、張付材４ａの左右の二辺に沿って、数センチ程度が山型を成すように内側へ折り込まれ、マチ１４が形成されている。これにより、厚みのある物品も保持手段４に収納することが可能となっている。
【００４５】
なお、本実施形態では、保持手段４及び前腕被覆手段５は、二枚の布を重ね合わせ、その間に綿状のクッション材を封入して縫製された、いわゆるキルティング加工された布を使用して形成されている。これにより、布自体の強度が増し、保持手段４に物品を保持したとき及び前腕被覆手段５に前腕を載せたときに破れにくい。加えて、前腕被覆手段５によって、外部の衝撃等から前腕を効果的に保護することができる。
【００４６】
また、閉止保持手段６は、張付材４ａ内側表面において上辺の中央近傍に取付けられた面ファスナー６ａと、これに対向する位置の前腕被覆手段５の外側表面に取付けられた面ファスナー６ｂとから構成されている。これらの面ファスナー６ａ，６ｂを互いに係合させることにより、保持手段４の開口部１０を閉止し、更に、この閉止状態を保持することが可能となる。
【００４７】
さらに、位置調整手段７には、正面視略日字状のバックル１７が使用され、環状体２ｂは、その途中でバックル１７に挿通されている。このバックル１７に更に吊下げ手段３の端部を挿通することにより、吊下げ手段３と環状体２ｂとが連結される。従って、バックル１７に挿通された吊下げ手段３の端部の長さを変化させることにより、吊下げ手段３の全長のうち、環状体２ａ，２ｂの吊下げのために有効に使用される長さ、すなわち、環状体２ａとの境界Ａ及び環状体２ｂとの連結部Ｂ間の長さ（Ａ−Ｂ）を変化させることが可能となる。
【００４８】
なお、本実施形態では、環状体２ｂの外側表面に、吊下げ手段３の端部を止着するためのゴムバンド８が取付けられている。また、吊下げ手段３の途中には、短辺が吊下げ手段３のベルト幅より長い長方形状に形成され、その長手方向に吊下げ手段３を挿通可能な構成とされた緩衝材９も取付けられている。そして、前腕を吊下げたときに吊下げ手段３が首や肩に当たる位置に緩衝材９を移動させ、吊下げ手段３と首等との間に緩衝材９を介在させることにより、首等が前腕の荷重を受ける面積が拡大し、圧力が減少して首等にかかる負担が軽減される。ここで、この緩衝材９には、肌触りのよいクッション材を用いることが望ましい。
【００４９】
次に、本実施形態の腕吊り具１の使用方法について、左腕を吊下げる場合を例として、図面を用いて説明する。
【００５０】
図２に示したように、前腕は肘を曲げた状態で前腕被覆手段５に挿通され、これにより、肘近傍が環状体２ａによって、手首近傍が環状体２ｂによって掛止される。そして、環状体２ａ，２ｂは吊下げ手段３は両端部夫々連結されているため、吊下げ手段３を首に掛けることにより、環状体２ａ，２ｂが首から吊下げられる。その結果、前腕が首から吊下げられ、所定の位置で保持される。
【００５１】
ここで、保持手段４に物品を保持する際には、面ファスナー６ａ，６ｂ（図１を参照）の係合を右手で解き、開口部１０を開放させて物品を保持手段４の内部に入れ、再び面ファスナー６ａ，６ｂを係合させる。このとき、面ファスナー６ａ，６ｂの係合を解くためには張付材４ａの上辺近傍を前方に引張れば足り、また、係合させるためには張付材４ａの上辺近傍を前腕被覆手段５に押し付ければ足り、かかる動作は片手で容易に行うことができる。また、面ファスナー６ａ，６ｂの係合は意図的に解除しなければ解けることはないため、開口部１０の閉止状態は保持される。
【００５２】
なお、前腕掛止手段２の吊下げ位置を調整する際には、吊下げ手段３の端部をバックル１７へ挿通する長さを右手で調節する。このとき、バックル１７の枠体を右手で引き下げることにより、Ａ−Ｂ間の長さが長くなり、環状体２ａ，２ｂの吊下げ位置を低くすることができ、一方、吊下げ手段３の端部を上に持ち上げるようにすることにより、バックル１７が摺動してＡ−Ｂ間の長さが短くなり、環状体２ａ，２ｂの吊下げ位置を高くすることができる。
【００５３】
従って、上記に説明したように、本実施形態の腕吊り具１によれば、保持手段４を具備することにより、これに物品を保持することが可能となり、吊下げていない方の腕で物を持ち両手がふさがってしまうということがなく、片方の手を開けておくことができる。また、衣類のポケットやバッグ等を別途使用することなく、保持手段４により物品を保持、携帯することが可能となる。
【００５４】
さらに、保持手段４は、前腕の側面に位置して設けられているため、使用者が前腕を見下ろしたときに顔面の真下に保持手段４が位置することとなり、身体をねじる等の動作を必要とすることなく、自然な動作で物品を出し入れすることができる。
【００５５】
さらに、閉止保持手段６を具備することにより、保持手段４の開口部１０の閉止状態を保持することが可能となり、腕吊り具１の使用者の移動や姿勢の変化によっても保持手段４に保持された物品が落下することなく、物品の保持を継続することが可能となる。また、閉止保持手段６は片手で容易に扱える構成となっているため、保持手段４から片手で容易に物品を出し入れすることができる。
【００５６】
また、予め所定の形状に形成された前腕被覆手段５によって前腕が下側から支持されるため、腕を載せている部分の幅が使用中に変化して前腕の支持が不安定となることがなく、前腕が下側から支持された状態を保持することが可能となる。また、一対の環状体２ａ，２ｂが前腕被覆手段５を外側から環状に取り囲んで支持するため、前腕が環状体２ａ，２ｂによって確実に支持される。
【００５７】
加えて、位置調整手段７を具備することにより、吊下げ手段３の全長のうち、環状体２ａ，２ｂの吊下げのために有効に使用される長さを変えることができる。これにより、環状体２ａ，２ｂの吊下げ位置を調整することが可能となり、使用者の体格に応じて、吊下げた前腕の位置を適切なものとし、これを保持することができる。また、腕吊り具１を首に掛けることも肩に掛け回して襷がけすることも可能となる。
【００５８】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【００５９】
上記の実施形態では、保持手段として、袋状に形成され物品を収納可能なものを示したが、例えば、様々な大きさや形状に区分されたものであってもよい。具体的には、携帯電話の収納スペースが形成されたもの、紙幣や硬貨を分別して収納できるように財布状に形成されたもの、ポケットティッシュを収納可能としてティッシュ片の取出し口が形成されたもの等である。また、保持手段は、袋状の形態でなくとも、物品を係止可能な手段等であってもよい。例えば、筆記具や折畳み傘等の棒状の物品を挿通して保持する伸縮性を有するバンド状のもの、玄関のカギ等の物品が有する貫通孔を引掛けて保持する爪状のもの、定期券等のカード類を挿し込んで保持する切れ込み状のもの、等が挙げられる。
【００６０】
また、上記の実施形態では、保持手段として、前腕被覆手段の一部と張付材とで構成されたものを示したが、前腕被覆手段とは別体とされ、開口部を有し袋状に形成されたものにより保持手段を構成してもよい。また、前腕被覆手段の表面の一部を切開し、その内側を袋状に形成して保持手段とすることもできる。
【００６１】
さらに、保持手段の開口部が上方に開口する場合を示したが、開口する向きは上方に限定されない。例えば、横向き（水平方向）に、吊下げていない方の腕に向かって開口していれば、前腕被覆手段の側面あるいは底面に取付けられた保持手段から、折畳み傘等の長尺状の物品を引き出し、再び収納する動作が容易である。
【００６２】
加えて、保持手段を前腕被覆手段に一つ取付けた場合を示したが、取付ける位置は前腕被覆手段に限られず、前腕掛止手段や吊下げ手段であってもよい。また、前腕被覆手段の側面において使用者の前方（進行方向）に保持手段を設けた場合を示したが、使用者の胸腹部に当接する側に設けてもよく、この場合は貴重品の保持にも適している。また、保持手段の数も一つに限定されず、複数を設けてもよい。
【００６３】
さらに、位置調整手段は、吊下げ手段と前腕掛止手段との連結部に取付けた場合を示したが、取付位置はこれに限られず、吊下げ手段の途中でもよい。また、ワンタッチで着脱可能な連結部を更に有するものであれば、片手で腕を吊る動作をより容易なものとすることができる。その他、一対の環状体の夫々の途中に、環状体を分割して展開可能とし、かつ、ワンタッチで連結可能な手段を取付けることにより、環状体を展開して前腕を載せた後に、片手で容易に環状に形成することができ、前腕を前腕掛止手段に掛止する動作をより容易なものとすることができる。
【図面の簡単な説明】
【００６４】
【図１】本発明の一実施形態である腕吊り具の概略構成を示す斜視図である。
【図２】図１の腕吊り具の使用状態を示す説明図である。
【符号の説明】
【００６５】
１    腕吊り具
２    前腕掛止手段（環状体）
３    吊下げ手段
４    保持手段
５    前腕被覆手段
６    閉止保持手段
７    位置調整手段
１０  開口部
【図１】
2006218175.tif 000003
【図２】
2006218175.tif 000004